(57)【要約】【課題】小型で安価な二次元画像アスペクト比可変である画像形成装置を構成できる光走査装置を提供する。【解決手段】複数の画素がライン状に配列された一次元光変調素子４を用いた光変調によって一次元像が得られ、得られた一次元像が一次元光変調素子４の配列方向と垂直な方向に走査する光偏向部８に走査され、光偏向部８を内部に含む投影光学系６により投影されて二次元像が結像され、得られる二次元像のアスペクト比は、光偏向部８における一次元像の走査角度に応じて可変である構成とする。【選択図】図１
2009037172.tif 000002
【特許請求の範囲】
【請求項１】
複数の画素がライン状に配列された一次元光変調素子と、
前記一次元光変調素子を用いた光変調によって得られる一次元像を前記一次元光変調素子の配列方向と垂直な方向に走査する光偏向部と、
前記光偏向部を内部に含み、前記一次元像を投影する二次元像を結像させる投影光学系と
を有し、
前記光偏向部における前記一次元像の走査角度に応じて前記二次元像のアスペクト比が可変であることを特徴とする
光走査装置。
【請求項２】
前記投影光学系は、前記光偏向部を挟んで、前記一次元光変調素子側の前群及び前記二次元像側の後群を有し、前記前群及び前記後群がともに正のパワーであることを特徴とする
請求項１に記載の光走査装置。
【請求項３】
前記投影光学系は、該投影光学系を構成する光学素子面が、光軸に対し軸対称な面であることを特徴とする
請求項１に記載の光走査装置。
【請求項４】
前記投影光学系は、前記光偏向部を挟んで、前記一次元光変調素子側の前群及び前記二次元像側の後群を有し、前記後群の第一屈折面が前記光偏向部に対して凹面であるレンズ素子を有することを特徴とする
請求項１に記載の光走査装置。
【請求項５】
前記投影光学系は、前記一次元光変調素子側及び前記二次元像側ともにテレセントリック性であることを特徴とする
請求項１に記載の光走査装置。
【請求項６】
前記投影光学系を構成するレンズ素子の一部が、屈折率１．７以上の高屈折率材料を用いて形成されていることを特徴とする
請求項１に記載の光走査装置。
【請求項７】
前記投影光学系を構成するレンズ素子の一部が、アッベ数７０以上の低分散材料を用いて形成されていることを特徴とする
請求項１に記載の光走査装置。
【請求項８】
前記投影光学系は、前記光偏向部を挟んで、前記一次元光変調素子側の前群及び前記二次元像側の後群を有し、前記前群のワーキングディスタンスが、前記前群の焦点距離の２５％以上であることを特徴とする
請求項１に記載の光走査装置。
【請求項９】
前記投影光学系は、前記光偏向部を挟んで、前記一次元光変調素子側の前群及び前記二次元像側の後群を有し、前記前群及び前記後群の焦点距離の比率が１より大きいことを特徴とする
請求項１に記載の光走査装置。
【請求項１０】
前記投影光学系は、前記光偏向部を挟んで、前記一次元光変調素子側の前群及び前記二次元像側の後群を有し、前記前群及び前記後群の焦点距離の比率が１より小さいことを特徴とする
請求項１に記載の光走査装置。
【請求項１１】
前記投影光学系は、前記光偏向部を挟んで、前記一次元光変調素子側の前群及び前記二次元像側の後群を有し、前記前群及び前記後群の光軸の折り曲げ角度が鋭角であることを特徴とする
請求項１に記載の光走査装置。
【請求項１２】
前記一次元光変調素子と前記投影光学系との間に、リレー結像系としてオフナー光学系を有することを特徴とする
請求項１に記載の光走査装置。
【請求項１３】
前記投影光学系の後段に、前記二次元像をさらに拡大投影する投影レンズを有することを特徴とする
請求項１に記載の光走査装置。
【請求項１４】
前記投影光学系の後段に、前記二次元像をさらに拡大投影する投影レンズを有することを特徴とする
請求項１２に記載の光走査装置。
【発明の詳細な説明】
【技術分野】
【０００１】
本発明は、一次元的に画素を配列した光変調素子を用いて二次元像を形成する光走査装置に関し、特にスクリーン上に拡大投影するプロジェクタ装置に用いられる光走査装置に関する。
【背景技術】
【０００２】
従来、液晶ライトバルブ等の二次元表示素子や、これらの二次元表示素子を拡大投影するプロジェクタ装置が種々提案され、実用化されている。
しかしながら、近年、新しい放送方式の導入、演算素子の進歩による画像処理速度の向上、及び、フイルムを拡大投影するアナログシネマからデイジタルシネマへの変換が進んで、解像度に対する要求が高まりつつあり、二次元表示素子として高解像化への追随が迫られている。
【０００３】
これは、二次元表示素子の高解像化に対応するには素子画素数を増やすことになるが、表示素子のサイズを固定したまま高解像化をはかると、表示部の開口部の縮小化が避けられず、明るいプロジェクタ装置の実現が困難になる。一方、画素サイズ固定のまま高解像化をはかると、必然的に表示素子のサイズの増大化を招き、光学系を含めたプロジェクタ装置の大型化、高額化につながる。また、二次元表示素子の製造工程においても、画素の縮小化においては、より小さな異物混入防止策が必要で、また、表示素子の大型化においては、生産装置そのものの大型化が必要となる。
【０００４】
ここで、高精細度テレビ、いわゆるＨＤＴＶ（Ｈｉｇｈ  Ｄｅｆｉｎｉｔｉｏｎ  Ｔｅ−ｌｅｖｉｓｉｏｎ）を例にすると、二次元表示素子として、１９２０×１０８０の約２０７万画素が必要となるが、一次元表示素子で、Ｈ方向に走査するシステムにおいては、１×１０８０素子で実現可能で、その差異は明確である。
【０００５】
また、二次元表示素子を用いて、アスペクト比可変の画像を表示するには、所望する最大のアスペクト比の素子そのものを製作するか、アスペクト比の小さなプロジェクタのタイリングを行い、所望のアスペクト比を実現するかの２つの手段が考えられる。
【０００６】
所望する最大のアスペクト比の二次元表示素子を製作するには、素子を製造するための半導体設備投資等の固定費がかかるため、ある程度の需要がなければ採算がとれない、また、上述したように、画素数が増えることによる画素欠陥の確立が高くなり、これもコスト増の要因となり、現実的な手段ではないのが現状である。
【０００７】
一方、第２の手段は、異なるプロジェクタ同士の幾何学的、明るさ、色合わせが必要で、経時変化に対する保守作業まで考慮すると、多くの課題がある手段と言わざるを得ないのが現状である。
【０００８】
ところで、特許文献１には、一次元光変調素子を用いた二次元画像表示装置が開示されている。
上記の一次元光変調素子としては、例えば、特許文献２に開示されているような、アメリカのシリコンライトマシーンズ（Ｓｉｌｉ−ｃｏｎ  Ｌｉｇｈｔ  Ｍａｃｈｉｎｅｓ）社のＧＬＶ（Ｇｒａｔｉｎｇ  Ｌｉｇｈｔ  Ｖａｌｖｅ）を用いることができる。ＧＬＶは、ＭＥＭＳ（ＭＩＣＲＯＥＬＥＣＴＲＯＭＥＣＨＡＮＩＣＡＬ  ＳＹＳＴＥＭ）技術を用いて形成された位相反射型回折格子より成っている。
【０００９】
このＧＬＶを、ＧＬＶを照射する照明光学系とともに用いると、画像信号により各画素を構成する回折格子を機械的に動作させ、これによって生ずる位相差をコントロールすることにより、画像表示素子として機能する。
光学系としては、各画素からの±１次回折光、０次回折光を分離し、ＯＦＦ光の遮蔽を行う、いわゆるシュリーレン光学系を採用することにより、画像が形成される。
【００１０】
また、特許文献３あるいは特許文献４には、上記の一次元表示素子を用いた大型ディスプレイとしてのプロジェクタ光学系として、一次元表示素子の一次元中間像を投影レンズにより拡大投影し、さらにその投影レンズの瞳位置、またはその周辺に光偏向部を配置し、走査を行いスクリーン上で二次元投影像を得るシステムが提案されている。
【００１１】
【特許文献１】特開２００６−７２１０４号公報
【特許文献２】米国特許５，３１１，３６０号公報
【特許文献３】米国特許５，９８２，５５３号公報
【特許文献４】特表２０００−５１３１１４号公報
【発明の開示】
【発明が解決しようとする課題】
【００１２】
従来の２次元表示素子による高解像度化の問題を回避して、小型で安価な１次元表示素子を用いてアスペクト比可変の２次元画像形成装置を構成する光走査装置を提供することが困難であることである。
【課題を解決するための手段】
【００１３】
本発明の光走査装置は、複数の画素がライン状に配列された一次元光変調素子と、前記一次元光変調素子を用いた光変調によって得られる一次元像を前記一次元光変調素子の配列方向と垂直な方向に走査する光偏向部と、前記光偏向部を内部に含み、前記一次元像を投影する二次元像を結像させる投影光学系とを有し、前記光偏向部における前記一次元像の走査角度に応じて前記二次元像のアスペクト比が可変であることを特徴とする。
【００１４】
上記の本発明の光走査装置は、複数の画素がライン状に配列された一次元光変調素子を用いた光変調によって一次元像が得られ、得られた一次元像が一次元光変調素子の配列方向と垂直な方向に走査する光偏向部に走査され、光偏向部を内部に含む投影光学系により投影されて二次元像が結像される。
ここで、得られる二次元像のアスペクト比は、光偏向部における一次元像の走査角度に応じて可変となっている。
【発明の効果】
【００１５】
本発明の光走査装置は、投影光学系に含まれる光偏向部の走査角度に応じて、得られる二次元像のアスペクト比が可変となっており、小型で安価な二次元画像アスペクト比可変である画像形成装置を構成することができる。
【発明を実施するための最良の形態】
【００１６】
以下、本発明の実施形態を図面を参照して説明する。
【００１７】
第１実施形態
図１は、本実施形態に係る光走査装置１の模式構成図である。
図１に示すように、例えば、一点鎖線で示す光軸上には光源２、照明光学系３、一次元光変調素子４、投影光学系６が配置されて構成される。
【００１８】
光源２は、例えば、半導体レーザや固体レーザ等のレーザ光源などからなる。
【００１９】
光源２から発した光は、例えば、照明光学系３を経て線状ビームとして一次元光変調素子４に照射される。尚、照明光学系３にはビーム整形やビーム拡大等のためのレンズ系が含まれる。
【００２０】
一次元光変調素子４は、例えば、後述のＧＬＶ素子や液晶表示素子等であって、所定方向に配列された複数の構成素子を有しており、駆動部５からの信号を受けて駆動制御が行われる。本実施形態では、図示の便宜上、透過型素子を示しているが、これに限らず、反射型素子等を用いることもできる。
【００２１】
駆動部５は、一次元光変調素子４の駆動回路を含み、外部回路等からの指令に応じた駆動信号を生成して一次元光変調素子４に供給する。駆動部５からの駆動信号によって、一次元光変調素子４における光変調が行われ、一次元像（一次元の変調光）が生成される。
【００２２】
上記の一次元像は、例えば、投影光学系６に導かれ、スクリーンＳ上に投影される。
上記の投影光学系は、例えば、光偏向部（走査ミラー）８を挟んで、一次元光変調素子側の前群７及び二次元像側の後群９を有する。図１中において、前群７、後群９を模式的に単レンズで簡略化して示しているが、実際には後述するように、それぞれ例えば一群の光学レンズから構成されている。
【００２３】
一次元光変調素子４からの一次元像は、例えば、前群７を通して光偏向部８に入射する。
光偏向部８は、例えば、光の反射角度が制御されて走査可能に設けられたミラー（走査ミラー）であり、上記の一次元像を一次元光変調素子４に係る構成素子の配列方向（一次元光変調素子４の長軸方向）と垂直な方向に走査する。例えば、光偏向部８には光走査制御部１０が接続されており、光走査制御部１０からの制御信号を受けて動作制御が行われる。光偏向部８としてはガルバノメータスキャナが用いられ、ガルバノミラーの回転制御によって走査位置が制御される。
【００２４】
光偏向部８において走査された一次元像は、走査位置に応じて進行方向が変更され、後群９を透過して出射され、スクリーンＳ上に結像して、二次元像が形成される。
例えば、投影光学系６に関して、その物体側に一次元光変調素子４が配置され、絞り位置に光偏向部８が配置された構成となっている。
【００２５】
上記の光偏向部８を挟んで対称的に配置される前群７及び後群９は、例えば、ともに正の屈折力（パワー）を有している光学系を採用することができる。
【００２６】
尚、プロジェクタ装置等への適用においては、投影光学系６の後段に、二次元像をさらに拡大投影する投影レンズを有する構成が挙げられる。つまり、投影光学系６を経て形成される二次元像を中間像として、これをスクリーン上に拡大投影するための投影レンズを配置すればよい。
【００２７】
また、後群９に投影レンズを含めた上で負のパワーをもつレンズ系を設計することも考えられるが、歪曲収差の問題や出射側レンズの大サイズ化等を考慮した場合に、後群を正パワーとして投影光学系６の像面に二次元像を結像させてから該二次元像を拡大投影する構成形態が実用上望ましい。このように配置することで、後群のレンズ配置と拡大投影する投影レンズとを個別に設計することができる。
【００２８】
投影光学系６は、投影光学系を構成する光学素子面が、光軸に対し軸対称な面であることが好ましい。
また、投影光学系６は、一次元光変調素子側及び二次元像側ともにテレセントリック性であることが好ましい。
【００２９】
また、一次元光変調素子４と上記投影光学系６との間に、リレー結像系としてオフナー光学系を有する構成とすることもできる。
【００３０】
また、図１では光源２と照明光学系３を用いた被照射型の構成を示したが、自己発光型の一次元光変調素子を用いた構成も可能である。
【００３１】
本実施形態の光走査装置においては、光偏向部８における一次元像の走査角度に応じて、投影される二次元像のアスペクト比が可変に構成されている。これは、例えば、上記の光走査制御部１０による光偏向部８の動作制御によって、二次元像が所望のアスペクト比となるように光偏向部８の走査角を制御し、一次元の光変調素子からアスペクト比可変の二次元画像を得ることができる。
【００３２】
一次元の光変調素子は、所望するアスペクト比に関わらず、同一仕様でよい。また、１組の一次元素子、１組の光源でアスペクト比可変のシステムを実現するため、幾何学的、明るさ、色合わせが不要で、経時変化に対する保守作業も不要となる。
【００３３】
本実施形態において、絞りに対し対称形をなす有限の二次元画像の等倍結像系に着目し、物体側に一次元の光変調素子を、絞りの位置に光偏向部を配し、光偏向部の走査により二次元画像を得るものであり、この光偏向部の走査角を所望のアスペクト比に合わせ、制御することにより、アスペクト比可変の光走査装置と、これを用いたプロジェクタシステムを実現できる。
この基本光学系においては、光偏向部による円筒状の像面湾曲を、円筒面を用いることなく、軸対称な球面系で補正することが可能である。
【００３４】
本実施形態の光偏向部を用いた光学系では、一次元の光変調素子の方向と、光偏向部によって走査される方向では、光学的な結像作用に及ぼす振る舞いが異なるため、歪曲を含めた結像性能を以下のように向上させることが望ましい。
【００３５】
本実施形態において、後群の第一屈折面が光偏向部に対して凹面であるレンズ素子を有することが好ましい。
上記の歪曲に代表される軸外特性は、特に光偏向部の走査角度を大きく設定した場合に顕在化しうるが、光偏向部を挟んだ後群の屈折第一面を光偏向部に対し凹面を向けた構成とすることにより、通常の広角レンズ系と同様に、ひとつの解決手段となる。
【００３６】
また、投影光学系を構成するレンズ素子の一部が、屈折率１．７以上の高屈折率材料を用いて形成されていることが好ましい。
また、上述の歪曲収差同様に課題となる収差として像面湾曲が知られている。光偏向部により、一次元の光変調素子の配列方向と垂直方向に走査することにより二次元像を得るので、二次元像の像面は、光学的な補正を加えなければ、円筒面になるためである。このためには、各光学素子での微小なコントロールが必要で、屈折率ｎｄが１．７を超える高屈折率ガラスの採用が望ましい。
【００３７】
また、投影光学系を構成するレンズ素子の一部が、アッベ数７０以上の低分散材料を用いて形成されていることが好ましい。
色収差のコントロールに関しては、アッベ数νｄが７０以上の低分散ガラスの採用が望ましい。
【００３８】
また、前群のワーキングディスタンスが、前群の焦点距離の２５％以上であることが好ましい。
本実施形態の光学系は、前述の通り、光偏向部により一次元の光変調素子の配列方向と垂直方向に走査することにより二次元像を得るので、光偏向部の前にある前群に起因する、レンズ面の傷、埃の付着等により、筋状のノイズが、二次元像に現れやすいという問題がある。この問題を解決するために、前群のワーキングディスタンスが、前群の焦点距離の２５％以上であることが望ましい。ワーキングディスタンスの対象となる面は、一次元の変調素子、または、一次元の変調素子を、オフナー光学系で代表されるリレー光学系で結像した面である。
【００３９】
また、前群の焦点距離が後群に比べ大きい構成とすることができる。前群の焦点距離が後群に比べ大きい場合、二次元像を縮小する効果が得られる。縮小系を採用した場合は、二次元像を、さらにスクリーン上に投影する投影レンズの縮小化が図れ、システム全体の小型化、コスト抑制がはかれる。
逆に、前群の焦点距離が後群に比べ小さい構成としてもよく、前群の焦点距離が後群に比べ小さい場合、二次元像を拡大する効果が得られる。拡大投影する光学系を採用した場合は、投影レンズの瞳サイズが大きくなり、特に光源にレーザを採用した場合、レーザ安全のクラス分類に対して、より明るいシステムが提供できる利点がある。
【００４０】
また、前群及び後群の光軸の折り曲げ角度が鋭角であることが好ましい。
光偏向部を、平面ミラーを回転制御するガルバノモータで構成した際、モータへの負荷、あるいは、走査効率を向上させるためには、ミラーの大きさ、特に、走査方向の大きさを抑える必要があり、前群、後群の折り曲げ角度を鋭角に設定することにより、容易に実現できる。
【００４１】
第２実施形態
図２は、本実施形態に係る光走査装置の投影光学系の概略構成を示すＸＺ断面図である。
一次元光変調素子１１は、Ｙ方向に配列される。以降、一次元光変調素子１１の位置に一次元光変調素子のリレー像が位置する構成でもよく、以降は一次元光変調素子１１が一次元光変調素子のリレー像も含むものとする。
【００４２】
一次元光変調素子１１の一次元像はテレセントリックな条件で投影光学系に入射する。投影光学系は、一次元光変調素子１１側から、前群１４のＧ１０１〜Ｇ１０７、光偏向部１２を挟んで、後群１５のＧ１０８〜１１５で構成され、一次元光変調素子方向と垂直な方向における光偏向部１２のミラーの走査により二次元像１３を得る。
一次元光変調素子１１の各素子が単純に光強度変調を行なう場合は、光偏向部１２はミラーでよいが、ＧＬＶのように回折作用を利用する素子の場合、光走査装置のミラーまたはリレー光学系にシュリーレン絞りを形成する必要がある。
【００４３】
本系の具体的諸元を表１に示す。一次元光変調素子１１のサイズは２０（任意単位）である。一次元光変調素子の読取はＦ値５であり、光偏向部（走査ミラー）１２への入射角は４５度を中心に走査角は±５度の場合、二次元像の大きさが３５．６×２０のアスペクト比１６：９の画像となる。走査角が±１５度の場合、二次元像の大きさが１０７×２０のアスペクト比４８：９の画像となる。所望のアスペクト比に合わせて、走査角を変更するとよい。
【００４４】
なお、Ｇ１０５，Ｇ１０６，Ｇ１０９，Ｇ１１０，Ｇ１１１，Ｇ１１２，Ｇ１１５の硝種は、ｎｄが１．７を超え、Ｇ１０１，Ｇ１０２の硝種は、アッベ数νｄが７０以上の低分散ガラスである。また、光偏向部１２に対し、後群のＧ１０８の第一屈折面は凹面を向けている。
【００４５】
表中の座標系はローカルで、反射により座標系も転写される。左端に示す番号は構成される面を順次表し、「OBJ」は物点であり、本実施形態では一次元光変調素子、または、一次元光変調素子のリレー像を意味し、「STO」は絞り、「IMG」は像面で、本実施形態では二次元像を意味する。
表中には、面の曲率半径、面間隔が示され、これらは反射により極性が逆転する。また、面の作用も示され、「REFL」は反射面を示し、表記のないものは透過面を表す。また、構成される材質も示され、「ADE」、「BDE」、「CDE」はそれぞれＸＹＺ軸を中心にした回転度（ｄｅｇ）を表す。光走査のためのミラー面（表中面番号１７）は、入射側光軸に対し、入射角度が４５度に設定され、９０度に反射された光線が、走査回転中心となる。
【００４６】
【表１】
2009037172.tif 000003
【００４７】
第３実施形態
図３は、本実施形態に係る光走査装置の投影光学系の概略構成を示すＸＺ断面図である。前群と後群の折り曲げ角度を７０度の鋭角とした投影光学系となっている。
図２と同様にＸＺ断面図であり、一次元光変調素子（または一次元の光変調素子のリレー像）２１はＹ方向に配列されている。一次元光変調素子２１の一次元像はテレセントリックな条件で投影光学系に入射する。投影光学系は、一次元光変調素子２１側から、前群２４のＧ２０１〜Ｇ２０７、光偏向部２２を挟んで、後群２５のＧ２０８〜２１５で構成され、一次元光変調素子方向と垂直な方向における光偏向部２２のミラーの走査により二次元像２３を得る。なお、後群２５の構成は、第２実施形態と同一である。
【００４８】
本系の具体的諸元を表２に示す。一次元光変調素子２１のサイズは２０（任意単位）である。一次元光変調素子の読取はＦ値５で、光偏向部（走査ミラー）２２への入射角は３５度を中心に走査角は±５度の場合、二次元像の大きさが３５．６×２０のアスペクト比１６：９の画像となる。走査角が±１５度の場合、二次元像の大きさが１０７×２０のアスペクト比４８：９の画像となる。
【００４９】
なお、Ｇ２０９，Ｇ２１０，Ｇ２１１，Ｇ２１２，Ｇ２１３，Ｇ２１５の硝種は、ｎｄが１．７を超え、Ｇ２０４，Ｇ２０５，Ｇ２０６，Ｇ２０７の硝種は、アッベ数νｄが７０以上の低分散ガラスである。また、光偏向部２２に対し、後群のＧ２０８の第一屈折面は凹面を向けている
【００５０】
また、前群２４のＧ２０１〜Ｇ２０７の焦点距離１００に対し、一次元光変調素子２１とＧ２０１の距離、いわゆるワーキングディスタンスは４０であり、焦点距離の２５％以上の距離を確保している。
【００５１】
【表２】
2009037172.tif 000004
【００５２】
第４実施形態
図４は、本実施形態に係る光走査装置の投影光学系の概略構成を示すＸＺ断面図である。
前群と後群の折り曲げ角度を７０度の鋭角とした投影光学系となっている。
本実施形態は、後群の焦点距離を前群の０．５倍に設定し、二次元像の０．５倍の縮小化をはかった投影光学系となっている。アスペクト比可変の光学系であるので、縮小倍率は、一次元の光変調素子の有効画素に対応した有効長さと、該有効画素に対応する二次元像の一辺の長さとなる。本実施例では、二次元像の垂直方向、Ｖ方向の長さである。また、実施例２と同様に、走査ミラーへの入射角度を３５度として、前群、後群の折り曲げ角度を７０度と、鋭角を実現した光学系である。さらに、前群のワーキングディスタンスも前群の焦点距離の２５％以上を確保している。
【００５３】
図３と同様にＸＺ断面図であり、一次元光変調素子（または一次元光変調素子のリレー像）３１はＹ方向に配列されている。一次元光変調素子３１の一次元像はテレセントリックな条件で投影光学系に入射する。投影光学系は、一次元光変調素子３１側から、前群３４のＧ３０１〜Ｇ３０８、光偏向部３２を挟んで、後群３５のＧ３０９〜３１７で構成され、一次元光変調素子方向と垂直な方向における光偏向部３２のミラーの走査により二次元像３３を得る。
【００５４】
本系の具体的諸元を表３に示す。一次元光変調素子３１のサイズは、２０（任意単位）である。一次元光変調素子の読取はＦ値５で、０．５倍の縮小系であるので、二次元像への結像は、Ｆ値２．５となる。光偏向部（走査ミラー）３２への入射角は３５度を中心に走査角は±３．４度の場合、二次元像の大きさが１７．８×１０のアスペクト比１６：９の画像となる。走査角が±１０．９度の場合、二次元像の大きさが５３．３×１０のアスペクト比４８：９の画像となる。
【００５５】
なお、Ｇ３１５，Ｇ３１６，Ｇ３１７の硝種は、ｎｄが１．７を超え、Ｇ３０４，Ｇ３０５，Ｇ３０６，Ｇ３０７の硝種は、アッベ数νｄが７０以上の低分散ガラスである。また、光偏向部３２に対し、後群３５のＧ３０９の第一屈折面は凹面を向けている
【００５６】
さらに、前群３４のＧ３０１〜Ｇ３０８の焦点距離１５０に対し、後群３５のＧ３０９〜３１７の焦点距離は７５で、全系として０．５倍の縮小系となっている。また、一次元光変調素子３１とＧ３０１の距離、いわゆるワーキングディスタンスは４０であり、前群３４の焦点距離１５０の２５％以上の距離を確保している。
【００５７】
【表３】
2009037172.tif 000005
【００５８】
第５実施形態
図５は、上記の各実施形態の光走査装置を用いたプロジェクタにおける投影光学系の概略構成を示すＸＺ断面図である。
上記の各本実施形態による二次元像を、さらにスクリーンに拡大投影する投影レンズを付加したものである。拡大投影する投影レンズに対して、二次元像とスクリーンは、物像関係にある。
【００５９】
光源４３からの光は、照明レンズ４２により一次元光変調素子４１に照射される。映像信号によって一次元光変調素子４１からの一次元像は変調制御され、オフナー光学系に導かれる。主鏡４４で反射された光束は、副鏡に設けられたシュリーレンフィルタ４５により変調制御された光束のうち、映像光のみ反射し、再び主鏡４４で反射した後、リレー像を結像し、さらに上記の各実施形態の骨格である光走査装置に導かれる。一次元像は投影光学系の前群４７を通じて光偏向部４６に導かれる。光偏向部４６の走査角は、二次元像の所望のアスペクト比に合わせて制御され、後群４８を通過した後で二次元像が形成される。
得られた二次元像が、拡大投影する投影レンズ４９によって拡大投影され、視聴者が鑑賞の対象となる平面スクリーンに投影される。
【００６０】
第６実施形態
図６及び図７は、上記の各実施形態で用いることができるＧＬＶ（Ｇｒａｔｉｎｇ  Ｌｉｇｈｔ  Ｖａｌｖｅ）素子の動作原理図であり、例えば特許文献３に記載されているものを用いることができる。
図６において、表面に反射膜５６を各々に形成した可動格子５４、固定格子５５が交互に配列されている。また、基板５１の下部表面には電極層５３が形成されている。可動格子５４と電極層５３の間に電位差を加えない状態では可動格子５４、固定格子５５の反射面高さが一致し、回折作用が起きず、入射光波面５７はそのまま正反射光、すなわち０次光として射出される。
【００６１】
一方、図７においては、格子深さがλ／４になるように可動格子５４と電極層５３の間に電位差を加え可動格子５４を基板用面５２に近づけると、反射回折作用が起き、入射光波面５７は±１次の反射回折光波面５８となる。この個々の格子深さを画像信号に対応し制御することにより、位相反射型回折格子が得られる。
【００６２】
なお、本実施形態では、一次元の光変調素子の例として上記のＧＬＶを挙げたが、透過型、あるいは、反射型の液晶素子等、他のディスプレイ素子に対しても、適用できるものである。
【００６３】
本発明は、上記の実施形態に限定されない。
例えば、一次元光変調素子はＧＬＶ素子に限らず、特に限定されない。
一次元光変調素子からの一次元像は、直接投影光学系に導かれても、リレー像を結像してから投影光学系に導かれてもよい。
投影光学系を構成する前群と後群の光学系は、それぞれ１つまたは複数個の光学レンズから構成される。
上記のほか、本発明の要旨を逸脱しない範囲で種々の変更が可能である。
【産業上の利用可能性】
【００６４】
本実施形態の光走査装置は、画像表示装置を構成する光走査装置に適用でき、特に平面スクリーンに投射するプロジェクタシステムを構成する光走査装置に適用できる。
【図面の簡単な説明】
【００６５】
【図１】図１は本発明の第１実施形態に係る光走査装置の模式構成図である。
【図２】図２は本発明の第２実施形態に係る光走査装置の投影光学系のＸＺ断面図である。
【図３】図３は本発明の第３実施形態に係る光走査装置の投影光学系のＸＺ断面図である。
【図４】図４は本発明の第４実施形態に係る光走査装置の投影光学系のＸＺ断面図である。
【図５】図５は第５実施形態に係るプロジェクタ光学系の模式図である。
【図６】図６はＧＬＶの非動作状態を表す説明図である。
【図７】図７はＧＬＶの動作状態を表す説明図である。
【符号の説明】
【００６６】
１…光走査装置、２…光源、３…照明光学系、４…一次元光変調素子、５…駆動部、６…投影光学系、７…前群、８…光偏向部、９…後群、１０…光走査制御部、１１…一次元光変調素子、１２…光偏向部、１３…二次元像、１４…前群、１５…後群、２１…一次元光変調素子、２２…光偏向部、２３…二次元像、２４…前群、２５…後群、３１…一次元光変調素子、３２…光偏向部、３３…二次元像、３４…前群、３５…後群、４１…一次元光変調素子、４２…照明レンズ、４３…光源、４４…主鏡、４５…シュリーレンフィルタ、４６…光偏向部、４７…前群、４８…後群、４９…投影レンズ、５１…基板、５２…基板用面、５３…電極層、５４…可動格子、５５…固定格子、５６…反射膜、５７…入射光波面、５８…反射回折光波面
【図１】
2009037172.tif 000006
【図２】
2009037172.tif 000007
【図３】
2009037172.tif 000008
【図４】
2009037172.tif 000009
【図５】
2009037172.tif 000010
【図６】
2009037172.tif 000011
【図７】
2009037172.tif 000012